(57)【要約】【課題】シートを用いて熱のふく射の遮断を行う屋根構造について、新規な構造、工法を提案する。【解決手段】垂木２の上にシート１を敷設し、前記シート１の上に野地板２１（屋根材１１）を設置する屋根構造１００とするものである。これにより、作業者は、垂木２の上側からシート１を設けることが可能であり、作業性に優れたものとすることができる。また、作業性の向上により、作業者の個人差によるバラつきが生じない、画一的なシート１の施工が実現されることになり、設計上の性能を確実に実現できる。【選択図】図２
2009138444.tif 000002
【特許請求の範囲】
【請求項１】
垂木の上にシートを敷設し、前記シートの上に屋根材を設置する屋根構造。
【請求項２】
前記シートは、ふく射熱を遮断する機能を有する、
ことを特徴とする請求項１に記載の屋根構造。
【請求項３】
前記シートと前記屋根材の間には、通気層が形成され、前記通気層を介して換気が行われる構成とする、
ことを特徴とする請求項１又は請求項２に記載の屋根構造。
【請求項４】
前記シートは、前記垂木の長手方向に並設されるものであり、各シートの間には、隙間が確保され、前記隙間と小屋裏の間での通気が確保される構成とする、
ことを特徴とする請求項１乃至請求項３のいずれか１項に記載の屋根構造。
【請求項５】
前記シートには、前記垂木に対する位置合わせを行うための指標が設けられ、前記シートは、前記指標を前記垂木に対して位置合わせをして敷設される、
ことを特徴とする請求項１乃至請求項４のいずれか１項に記載の屋根構造。
【請求項６】
前記シートは、固定部材を用いて前記垂木に対して固定されるものであり、前記シートには、前記シートに対する前記固定部材の位置合わせに用いるための指標が設けられ、前記固定部材は、前記指標の箇所に配置される、
ことを特徴とする請求項１乃至請求項５のいずれか１項に記載の屋根構造。
【請求項７】
前記固定部材は、前記垂木の側面との重なり代を有し、前記シートは、前記固定部材によって前記重なり代だけ下方へ配置され、前記シートと前記屋根材との間に前記通気層が形成されることとする、
ことを特徴とする請求項６に記載の屋根構造。
【請求項８】
前記固定部材は、略「コ」字状の板金部材にて構成され、前記シートを挟んで前記垂木に対して嵌着される、
ことを特徴とする請求項７に記載の屋根構造。
【請求項９】
垂木の上にシートを敷設し、前記シートの上に屋根材を設置する、屋根の工法。
【請求項１０】
前記シートは、ふく射熱を遮断する機能を有することとする、
ことを特徴とする請求項９に記載の屋根の工法。
【請求項１１】
或るシートを前記垂木に固定後に、前記或るシートの上に前記屋根材を設置し、前記屋根材を足場として利用し、前記或るシートの隣に、次のシートを付設することとする、
ことを特徴とする、請求項９又は請求項１０に記載の屋根の工法。
【請求項１２】
前記シートと前記屋根材の間に通気層を形成する、
ことを特徴とする請求項９乃至請求項１１のいずれか１項に記載の屋根の工法。
【請求項１３】
前記或るシートと、前記次のシートとの間に、隙間を確保する、
ことを特徴とする請求項１１又は請求項１２に記載の屋根の工法。
【請求項１４】
前記シートは、前記シートに設けられた指標を前記垂木に対して合わせることで敷設される、
ことを特徴とする請求項９乃至請求項１３のいずれか１項に記載の屋根の工法。
【請求項１５】
前記シートは、固定部材を用いて前記垂木に対して固定されるものであり、前記固定部材は、前記シートに設けられた指標に合わせて配置される、
ことを特徴とする請求項９乃至請求項１３のいずれか１項に記載の屋根の工法。
【請求項１６】
前記固定部材は、前記垂木の側面との重なり代を有し、前記シートは、前記固定部材によって前記重なり代だけ下方へ配置され、前記シートと前記屋根材との間に前記通気層が形成される、
ことを特徴とする請求項１５に記載の屋根の工法。
【請求項１７】
前記固定部材は、略「コ」字状の板金部材にて構成され、前記シートを挟んで前記垂木に対して嵌着される、
ことを特徴とする請求項１６記載の屋根の工法。 
【発明の詳細な説明】
【技術分野】
【０００１】
本発明は、住宅や施設などの建物の屋根の構造に関し、特に、シート材を用いることにより、小屋裏の温度上昇を抑制するための技術に関する。
【背景技術】
【０００２】
従来、住宅や施設などの建物の屋根構造においては、特に夏季の日中において、屋根外面から小屋裏への熱の伝わりを抑制することにより、小屋裏の温度上昇、ひいては、室内の温度上昇を抑制し、冷房効率を向上させるといった試みが行われており、これについて開示する文献も存在する（例えば、特許文献１〜４参照。）。
【０００３】
屋根から天井への熱の伝わり方については、伝導、対流、ふく射（放射）の三態様が考えられるが、このうち、ふく射に対する対策として、特許文献１においては、小屋裏に柔軟性のあるシートを配置して放射熱（ふく射熱）の遮断を行う構造について提案をしている。この構造は、遮熱構造として知られている。
【０００４】
また、この特許文献１でも開示されているが、従来この種の遮熱構造においては、シートは、野地板などの屋根材の内側（小屋裏側）に対向されて配置されるものであり、その施工は、野地板を垂木に取り付けた後に室内側から行われるものであった。例えば、図１０に示す例では、垂木６１に野地板６２を付設した後に、垂木６１の下側表面に対して、シート６３を下側から付着させつつ、ステープル６４にてシート６３を垂木６１に張設するといった手順により施工が行われる。
【０００５】
しかし、このような垂木６１の下側表面に対する作業では、作業者は上を向いて手を伸ばして作業をする必要があることから、作業者にとって負担が大きくなる。特に、小屋裏での高所の作業となるため、足場の確保などの観点からも、作業性が悪いものとなる。また、このことから、多くの作業時間を要することになり、施工期間の短縮や施工コストの削減に対する弊害の一つになるものと考えられる。
【０００６】
また、このように作業性が悪いことから、作業者は、現場においてシートの固定箇所やステープルの配置を状況に応じて任意に判断してしまうものと考えられる。このようなことであると、隣り合う垂木間でシートが強く張られてテンションが過剰となり、破れなどの可能性が高まることや、逆にテンションが弱く空気の流れによって波打ってしまうという不具合が生じ得る。また、ステープルの配置が不適切であると、シートが垂れてしまい、シートと垂木の間に大きな隙間が形成されてしまう不具合も懸念される。このような不具合が生じてしまうと、設計上の性能を発揮することができなくなってしまう。
【０００７】
さらに、作業者が任意にシートを固定することとしてしまうと、シートが足りなくなる、若しくは、余ってしまう、というように、シートの無駄遣いといった不具合の発生が懸念される。特に、作業性が悪いことを考えると、この不具合が発生する可能性は極めて高いものである。
【０００８】
そして、以上に述べたことは、シートの施工の標準化の弊害となるものと考えることができる。
【特許文献１】特許第３５５２７１２号明細書
【特許文献２】特開２００６−２４９７３２号公報
【発明の開示】
【発明が解決しようとする課題】
【０００９】
そこで、本発明は、シートを用いて熱のふく射の遮断を行う屋根構造について、新規な構造、工法により、上記の問題を解決することとするものである。
【課題を解決するための手段】
【００１０】
本発明の解決しようとする課題は以上の如くであり、次にこの課題を解決するための手段を説明する。
【００１１】
即ち、請求項１に記載のごとく、
垂木の上にシートを敷設し、前記シートの上に屋根材を設置する屋根構造とするものである。
【００１２】
また、請求項２に記載のごとく、
前記シートは、ふく射熱を遮断する機能を有することとするものである。
【００１３】
また、請求項３に記載のごとく、
前記シートと前記屋根材の間には、通気層が形成され、前記通気層を介して換気が行われる構成とするものである。
【００１４】
また、請求項４に記載のごとく、
前記シートは、前記垂木の長手方向に並設されるものであり、各シートの間には、隙間が確保され、前記隙間と小屋裏の間での通気が確保される構成とするものである。
【００１５】
また、請求項５に記載のごとく、
前記シートには、前記垂木に対する位置合わせを行うための指標が設けられ、前記シートは、前記指標を前記垂木に対して位置合わせをして敷設されることとするものである。
【００１６】
また、請求項６に記載のごとく、
前記シートは、固定部材を用いて前記垂木に対して固定されるものであり、前記シートには、前記シートに対する前記固定部材の位置合わせに用いるための指標が設けられ、前記固定部材は、前記指標の箇所に配置されることとするものである。
【００１７】
また、請求項７に記載のごとく、
前記固定部材は、前記垂木の側面との重なり代を有し、前記シートは、前記固定部材によって前記重なり代だけ下方へ配置され、前記シートと前記屋根材との間に前記通気層が形成されることとするものである。
【００１８】
また、請求項８に記載のごとく、
前記固定部材は、略「コ」字状の板金部材にて構成され、前記シートを挟んで前記垂木に対して嵌着されることとするものである。
【００１９】
また、請求項９に記載のごとく、
垂木の上にシートを敷設し、前記シートの上に屋根材を設置する、屋根の工法とするものである。
【００２０】
また、請求項１０に記載のごとく、
前記シートは、ふく射熱を遮断する機能を有することとするものである。
【００２１】
また、請求項１１に記載のごとく、
或るシートを前記垂木に固定後に、前記或るシートの上に前記屋根材を設置し、前記屋根材を足場として利用し、前記或るシートの隣に、次のシートを付設することとする、屋根の工法とするものである。
【００２２】
また、請求項１２に記載のごとく、
前記シートと前記屋根材の間に通気層を形成する、屋根の工法とするものである。
【００２３】
また、請求項１３に記載のごとく、
前記或るシートと、前記次のシートとの間に、隙間を確保する、屋根の工法とするものである。
【００２４】
また、請求項１４に記載のごとく、
前記シートは、前記シートに設けられた指標を前記垂木に対して合わせることで敷設されることとするものである。
【００２５】
また、請求項１５に記載のごとく、
前記シートは、固定部材を用いて前記垂木に対して固定されるものであり、前記固定部材は、前記シートに設けられた指標に合わせて配置されることとするものである。
【００２６】
また、請求項１６に記載のごとく、
前記固定部材は、前記垂木の側面との重なり代を有し、前記シートは、前記固定部材によって前記重なり代だけ下方へ配置され、前記シートと前記屋根材との間に前記通気層が形成されることとするものである。
【００２７】
また、請求項１７に記載のごとく、
前記固定部材は、略「コ」字状の板金部材にて構成され、前記シートを挟んで前記垂木に対して嵌着されることとするものである。
【発明の効果】
【００２８】
本発明の効果として、以下に示すような効果を奏する。
【００２９】
即ち、請求項１に記載の発明においては、作業者は、垂木の上側からシートを設けることが可能であり、作業性に優れたものとすることができる。また、作業性の向上により、作業者の個人差によるバラつきが生じない、画一的なシートの施工が実現されることになり、設計上の性能を確実に実現できる。
【００３０】
また、請求項２に記載の発明においては、屋根材から小屋裏へ伝わるふく射熱をシートによって遮断する遮熱構造を実現することができる。
【００３１】
また、請求項３に記載の発明においては、屋根材の裏側における換気を実施することが可能となる。
【００３２】
また、請求項４に記載の発明においては、小屋裏内の空気を通気層内に送り込むことが可能となり、小屋裏の換気（小屋裏換気）を行うことが可能となる。
【００３３】
また、請求項５に記載の発明においては、シートの垂木に対する位置合わせにおいて、作業の標準化を図ることができ、作業性に優れたものとすることができる。また、作業性の向上により、作業者の個人差によるバラつきが生じない、画一的なシートの施工が実現されることになり、設計上の性能を確実に実現できる。さらに、シートが足りなくなる、若しくは、余ってしまう、といったシートの無駄遣いの不具合の発生を確実に防止することができる。
【００３４】
また、請求項６に記載の発明においては、固定部材のシートに対する位置合わせにおいて、作業の標準化を図ることができ、作業性に優れたものとすることができる。また、作業性の向上により、作業者の個人差によるバラつきが生じない、画一的なシートの施工が実現されることになり、設計上の性能を確実に実現できる。
【００３５】
また、請求項７に記載の発明においては、前記通気層は、重なり代によって定義される規定の断面形状を有することができ、通気層を確実に構成することが可能となる。
【００３６】
また、請求項８に記載の発明においては、固定部材を垂木に対して容易に固定することができる。
【００３７】
また、請求項９に記載の発明においては、作業者は、垂木の上側からシートを設けることが可能であり、作業性に優れたものとすることができる。また、作業性の向上により、作業者の個人差によるバラつきが生じない、画一的なシートの施工が実現されることになり、設計上の性能を確実に実現できる。
【００３８】
また、請求項１０に記載の発明においては、屋根材から小屋裏へ伝わるふく射熱をシートによって遮断する遮熱構造を実現することができる。
【００３９】
また、請求項１１に記載の発明においては、屋根材を足場として利用して垂木の上側からシートを敷設する作業を実施することが可能となり、作業者の負担も少なく、短い作業時間で完了することができる。また、シートの敷設作業に関連し、従来と比較して、足場の組立／取り外しの作業負担を大幅に低減することができる。
【００４０】
また、請求項１２に記載の発明においては、屋根材の裏側における換気を実施することが可能となる。
【００４１】
また、請求項１３に記載の発明においては、小屋裏内の空気を通気層内に送り込むことが可能となり、小屋裏の換気（小屋裏換気）を行うことが可能となる。
【００４２】
また、請求項１４に記載の発明においては、シートの垂木に対する作業の標準化を図ることができ、作業性に優れたものとすることができる。また、作業性の向上により、作業者の個人差によるバラつきが生じない、画一的なシートの施工が実現されることになり、設計上の性能を確実に実現できる。さらに、シートが足りなくなる、若しくは、余ってしまう、といったシートの無駄遣いの不具合の発生を確実に防止することができる。
【００４３】
また、請求項１５に記載の発明においては、固定部材のシートに対する位置合わせにおいて、作業の標準化を図ることができ、作業性に優れたものとすることができる。また、作業性の向上により、作業者の個人差によるバラつきが生じない、画一的なシートの施工が実現されることになり、設計上の性能を確実に実現できる。
【００４４】
また、請求項１６に記載の発明においては、前記通気層は、重なり代によって定義される規定の断面形状を有することができ、通気層を確実に構成することが可能となる。
【００４５】
また、請求項１７に記載の発明においては、固定部材を垂木に対して容易に固定することができる。
【発明を実施するための最良の形態】
【００４６】
次に、発明の実施の形態を説明する。
図１は、本実施形態にかかる遮熱構造５０を適用した屋根構造１００の模式図である。
この屋根構造においては、屋根材１１の屋内側にシート１が配置されており、屋根材１１からのふく射熱をシート１によって遮断することで、小屋裏１２の温度上昇や、天井１３の温度上昇が抑制され、室内空間１４における冷房効率（夏季）が向上されるものである。
【００４７】
また、本実施形態で利用するシート１は、いわゆる周知の遮熱シートであって、遮熱に特化した機能を有するものが、ふく射熱を遮断する上で好適である。また、湿分を通すが、水を透過させない機能を呈する、透湿・防水機能を呈するものが更に好適である。しかし、特に、ふく射熱の遮断の機能を謳っていなくても、実質的にふく射熱を遮断する機能を呈するシート状のものであればよく、適用できるシートの選択性は広いものである。
【００４８】
また、図１に示すごとく、前記屋根材１１とシート１との間には、空気の通り道となる通気層１５を形成することとし、軒天１６から取り込んだ空気を通気層１５を通して小屋裏換気口１７から排出する、小屋裏換気（軒天換気、棟換気）が実現されるようになっている。
以下、遮熱構造の詳細について実施例を用いて説明する。
【実施例１】
【００４９】
図２は、屋根上方からみた遮熱構造５０について示すものであり、屋根材１１を構成する各野地板２１・２１Ａと各シート１・１Ａの間に形成される通気層１５を空気１８が通過して換気が行われることが示されている。
【００５０】
また、図３に示すごとく、シート１は、垂木２の長手方向に対して直交する方向に敷設される。また、図２に示すごとく、各シート１・１Ａは、垂木２の長手方向に並設されて列状に配置される。
【００５１】
また、図２に示すごとく、各シート１・１Ａの間には、隙間４を確保することとして、小屋裏１２の空気を通気層１５内に送り込むことにより、換気が行われるようになっている。
【００５２】
また、図２に示すごとく、各シート１・１Ａは、複数本の垂木２を跨ぐようにして、垂木２の上に被せるようにして設置される。そして、各シート１・１Ａは、各垂木２に対して固定具５・５やステープル６・６（コ字状の針状部材）を用いて固定される。
【００５３】
また、図４に示すごとく、シート１の上面には、その長手方向において、所定の間隔Ｌにて指標７・７が設けられている。そして、この指標７・７を各垂木２・２の角部２ａに合わせるようにして、シート１を各垂木２・２に被せることとする。そして、シート１を各垂木２・２に被せた後、シート１の上面１ａ側から、固定具５・５、ステープル６・６を用い、シート１が各垂木２・２に対して固定される。
【００５４】
また、図５に示すごとく、垂木２・２に固定されたシート１の上に、野地板２１が配置される。そして、シート１と野地板２１の間には、通気層１５・１５が形成されることとしており、また、この通気層１５・１５は各垂木２・２の間に配置されることとなっている。
【００５５】
また、図５に示すごとく、通気層１５・１５を確保するために、図６（ａ）及び図７に示される固定具５が用いられることとしている。
図６（ａ）及び図７に示すごとく、この固定具５は、本実施例では、シート１を挟んで垂木２に対して嵌合されるべく、略「コ」字状の断面を有する板金部材にて構成されている。この略「コ」字状は、垂木２と略同一の幅を有する平面構成部５ａと、該平面構成部５ａの両側部からそれぞれ下方に垂設される側面構成部５ｂ・５ｃと、から形成されることとしている。なお、このような板金部材による固定具５の構成は、製造コストの観点から好適であるが、本明細書中で説明されるものと同等の機能を呈するものであれば、その構成については、限定されるものではない。
【００５６】
また、図６（ａ）及び図７に示すごとく、固定具５において、側面構成部５ｂ・５ｃは、垂木２の側面２ｂ・２ｃとの重なり代Ｄを有しており、この重なり代Ｄの存在によって、シート１は、垂木２の上面２ｅから重なり代Ｄだけ低い位置において、垂木２の側面２ｂ・２ｃから側方に向かって拡げられるようになる。これにより、垂木２の上面２ｅの延長線２ｆと、シート１の間に通気層１５が形成され、この通気層１５における垂木２に面した範囲の高さ方向の寸法が、一定の寸法である重なり代Ｄとされる。
【００５７】
また、図４及び図５に示すごとく、本実施例では、垂木２に対する固定具５によるシート１の固定は、垂木２について一つおきに行なわれる、即ち、ステープル６を用いることによるシート１の垂木２への固定と、固定具５を用いることによるシート１の垂木２への固定が交互になされることとなっている。これにより、図５に示すごとく、固定具５にてシート１の固定がなされる垂木２の間に、ステープル６にてシート１の固定がなされる垂木２が配置されることになって、固定具５による固定がなされる箇所については、シート１と野地板２１との間に間隔（重なり代Ｄ）が確保され、通気層１５を確実に構成されるようになっている。なお、全ての垂木２に対して固定具５を用いてシート１を固定することも可能であるが、垂木２について一つおきに固定具５を用いることとすれば、固定具５の利用によるコスト削減を図ることが可能となる。
【００５８】
また、図６（ａ）及び図７に示すごとく、固定具５において、側面構成部５ｂ・５ｃには、垂木２の側面２ｂ・２ｃに対して係合するような楔形状を有する返し部５ｍ・５ｎがそれぞれ設けられている。この返し部５ｍ・５ｎは、側面構成部５ｂ・５ｃの上下方向中途部において逆Ｖ字状の切り欠きを形成し、切り欠きの中の部位を内側へ屈曲させることにより、簡易に構成されることができる。このような返し部５ｍ・５ｎを設けることにより、固定具５をシート１を挟んで垂木２に嵌着した後においては、返し部５ｍ・５ｎによって垂木２からの固定具５の脱落が防止され、シート１を垂木２に対して確実に固定することが可能となる。
【００５９】
また、図６（ａ）及び図７に示すごとく、返し部５ｍ・５ｎと垂木２との係合を確実にするために、側面構成部５ｂ・５ｃにおいて返し部５ｍ・５ｎが配置される部位５ｕ・５ｖ同士の間隔Ｗ１は、垂木２の幅寸法Ｗ２と略同一以下とすることが好適である。これによれば、固定具５がシート１を挟んで垂木２に嵌着される際には、側面構成部５ｂ・５ｃが若干撓んで開かれ、嵌着後はその撓みの変形に対応する弾性復帰の応力によって、返し部５ｍ・５ｎを垂木２の側面２ｂ・２ｃに圧接（圧入）させることができるようになる。そして、これによって、固定具５の垂木２に対する嵌着状態が確実に維持され、ひいては、シート１の垂木２に対する固定を確実なものとすることができる。
【００６０】
また、図６（ａ）及び図７に示すごとく、以上に述べた固定具５の構成により、固定具５の固定については、例えば、シート１が被された垂木２に対して固定具５の位置を合わせつつ、固定具５の平面構成部５ａを上から踏みつけることにより、固定具５をシート１を挟んで垂木２に嵌着させることができる。このように、工具を用いることなく、固定具５の垂木２に対する嵌着を実施することが可能となる。
【００６１】
また、図６（ａ）（ｂ）に示すごとく、側面構成部５ｂ・５ｃについて、それぞれの下端部５ｗ・５ｘ同士の間隔Ｗ３が垂木２の幅寸法Ｗ２よりも広く確保されるように、下端部５ｗ・５ｘを外側に向けて屈曲させることによれば、下端部５ｗ・５ｘの部位にて垂木２を挟み込むようにして仮の嵌着状態を構成し（図６（ｂ）の状態）、その状態から踏みつけることで完全に嵌着させるといったことが可能となり、作業性に優れたものとすることができる。なお、図４に示されるステープル６によるシート１の垂木２に対する固定については、周知の工具を用いて行うことが可能である。
【００６２】
また、図４に示すごとく、上述したシート１の指標７・７を目安にして、垂木２との位置合わせを行うことにより、各垂木間８Ａ・８Ｂには、所定の長さのシート１を配置させることができる。これにより、図５に示すごとく、各通気層１５・１５の断面形状を、垂木２を挟んで略対称な形状とすることができる。さらに、各垂木間８Ａ・８Ｂに配置されるシート１の部位において、略同一のテンションが付与された状態とすることができる。このようにして、通気層１５において、画一的な断面形状を得ることができ、換気の設計の精度を向上させることが可能となる。また、シート１について過剰なテンションが付与されることがなく、破れのなど不具合が生じることや、テンションが弱すぎてシート１が空気の流れによって波打つといった不具合が生じることを防止できる。
【００６３】
また、図４に示すごとく、シート１の指標７・７については、予め、シート１の表面に印刷などにより設けることとすることが望ましい。これによれば、施工現場における採寸などの作業を必要とすることなく、シート１の敷設を行うことが可能となる。また、固定具５やステープル６を配置する箇所についても、指標９・９を設けることとしてもよい。これによれば、垂木２の長手方向におけるシート１に対する固定具５、ステープル６の位置を画一的にすることができる。この指標９・９は、例えば、両端、及び、中央位置の合計三箇所に設けることにより、シート１の幅方向（垂木２の長手方向）において、均等な配置でシート１の固定箇所を設けることが可能となる。なお、垂木２との位置合わせのための指標７・７の間隔Ｌについては、垂木２の間隔（例えば、一尺五寸）を考慮して設計されるものである。
【００６４】
また、このように、垂木２に対する位置合わせに用いるための指標７・７、及び、シート１に対する固定部材（固定具５、ステープル６）の位置合わせに用いるための指標９・９、を有するシート１を用いることにより、垂木２に対するシート１の施工を標準化することが可能となる。これによって、作業者の個人差によるバラつきが生じない、画一的なシート１の施工が実現されることになり、設計上の性能を確実に実現できることになる。また、この標準化により、作業性が向上し、作業時間の短縮を図ることが可能となる。さらに、シートが足りなくなる、若しくは、余ってしまう、といったシートの無駄遣いの不具合の発生を確実に防止することができる。
【００６５】
また、図２に示すごとく、シート１の垂木２に対する固定に関連し、桁３に最も近い側に配置されるシート１については、その側端部１ｓが桁３に対して固定される。この固定については、本実施例では、ステープル６を用いて行うこととしている。また、この桁３に対する固定について、シート１において桁３に近い側の側端部１ｓから、垂木２の長手方向に切込み１ｋを形成することによれば、桁３と側端部１ｓとの接触面積を広く確保することが可能となり、シート１と桁３の間に大きな隙間を生じさせないことが可能となる。また、軒天１６から通気層１５に流れ込む外気によって、シート１の側端部１ｓが捲り上げられるという不具合も防止することができる。なお、この側端部１ｓにおいて、ステープル６の配置の指標や、切込み１ｋの形成箇所を印刷などにて設けることとしてもよい。また、切込み１ｋは、予め設けることとし、施工現場での工数を低減することとしてもよい。
【００６６】
また、図８（ａ）に示すごとく、棟木３１の付近におけるシートの敷設の形態としては、付け合わされる垂木２・２に敷設されるシート１Ｃ・１Ｄについて、両者の間に隙間４Ａを確保することとし、小屋裏１２の空気を隙間４Ａを介して小屋裏換気口１７に逃がす構成とすることができる。また、図８（ｂ）に示すごとく、隅木３２に対するシート１Ｅの固定については、通気層１５を確保するために、シート１Ｅを弛ませた状態で隅木３２の傾斜面３２ａに対しステープル６にて固定を行うことができる。また、図８（ｃ）に示すごとく、谷木３３に対するシート１Ｆの固定についても、同様に、通気層１５を確保するために、シート１Ｆを弛ませた状態で谷木３３の傾斜面３３ａに対しステープル６にて固定を行うことができる。
【００６７】
以上のような遮熱構造とするものであり、次にこの遮熱構造の施工手順について説明する。
まず、図３に示すごとく、桁３の部位についてシート１を敷設する。このように、シート１は、施工時において、各垂木２・２の上に現れるようになっている。そして、図２に示すごとく、シート１の側端部１ｓにおいては、桁３に対してステープル６にて固定を行う。また、シート１の幅方向の中途部１ｂ、及び、桁３と反対側にある側端部１ｃについては、固定具５、又は、ステープル６により、垂木２に対するシート１の固定が行われる。本実施例では、垂木２に対するシート１の固定について、固定具５による固定と、ステープル６による固定が、交互に行われることとしている。
【００６８】
次に、図２に示すごとく、シート１の上から野地板２１を設置する。この野地板２１の設置により、足場を確保することができ（野地板２１を足場として利用できる）、シート１の隣に次のシート１Ａを敷設することができる。ここで、既に敷設されたシート１と、次に敷設されるシート１Ａの間には、垂木２の長手方向において、隙間４を確保することとする。これにより、小屋裏１２の空気を通気層１５内に送り込むことが可能となり、小屋裏１２の換気（小屋裏換気）を行うことが可能となる。
【００６９】
そして、図２に示すごとく、シート１Ａについて、垂木２の長手方向における合計三箇所に、固定具５、又は、ステープル６により、垂木２に対するシート１の固定が行われる。本実施形態では、垂木２に対するシート１の固定について、固定具５による固定と、ステープル６による固定が、交互に行われることとしている。
【００７０】
また、図２に示すごとく、シート１Ａの固定後においては、野地板２１Ａを設置することで、次のシート１Ｂを敷設するための足場を確保することができる。このような作業の繰り返しによって、必要な箇所に対して全体的にシート１を設置することが可能となる。
【００７１】
以上に説明したように、図２に示すごとく、桁３の側から棟木（不図示）に向かう順に、シート１の敷設、野地板２１の設置を繰り返すことにより、遮熱構造５０を施工することとするものである。そして、この施工においては、垂木２の上側からシート１を敷設する作業を実施することが可能となり、作業者の負担も少なく、短い作業時間で完了することができる。
【００７２】
また、図２に示すごとく、野地板２１を設置した後においては、この野地板２１を足場として利用して、次の列のシート１Ａの敷設を実施することが可能となり、シート１の敷設作業に関連し、従来と比較して、足場の組立／取り外しの作業負担を大幅に低減することができる。このことに関連し、例えば、従来の垂木の下側にシートを取り付ける遮熱構造の施工の場合では、野地板の設置の施工日と、シートの設置の施工日を別の日に設定して、それぞれに施工日について作業者を確保する必要があった。しかし、垂木の上側にシートを敷設する本実施例の施工の場合によれば、短時間でシートの敷設作業を完了することが可能となるため、野地板の施工日にシートの敷設の作業を組み込んで、シートの敷設と野地板の設置を一日で完了するといったことが可能となる。即ち、施工日を一日短縮するといったことも可能となるのである。また、例えば、上棟の作業の一つとしてシートの敷設作業を組み込むといったことも可能である。
【００７３】
以上が本実施例の構成である。
即ち、図２に示すごとく、垂木２の上にシート１を敷設し、前記シート１の上に野地板２１（屋根材１１）を設置する屋根構造とするものである。
【００７４】
これにより、作業者は、垂木２の上側からシート１を設けることが可能であり、作業性に優れたものとすることができる。また、作業性の向上により、作業者の個人差によるバラつきが生じない、画一的なシート１の施工が実現されることになり、設計上の性能を確実に実現できる。
【００７５】
また、図２に示すごとく、前記シート１は、ふく射熱を遮断する機能を有することとするものである。
【００７６】
これにより、野地板（屋根材１１）から小屋裏１２へ伝わるふく射熱をシート１によって遮断する遮熱構造５０を実現することができる。
【００７７】
また、図２に示すごとく、前記シート１と野地板２１の間には、通気層１５が形成され、前記通気層１５を介して換気が行われる構成とするものである。
【００７８】
これにより、野地板２１（屋根材１１）の裏側における換気を実施することが可能となる。
【００７９】
また、図２に示すごとく、前記シート１・１Ａは、垂木２の長手方向に並設されるものであり、各シート１・１Ａの間には、隙間４が確保され、前記隙間４と小屋裏１２の間での通気が確保される構成とするものである。
【００８０】
これにより、小屋裏１２内の空気を通気層１５内に送り込むことが可能となり、小屋裏１２の換気（小屋裏換気）を行うことが可能となる。
【００８１】
また、図２及び図４に示すごとく、前記シート１・１Ａには、垂木２に対する位置合わせを行うための指標７・７が設けられ、前記シート１・１Ａは、前記指標７・７を垂木２に対して位置合わせをして敷設されることとするものである。
【００８２】
これにより、シート１の垂木２に対する位置合わせにおいて、作業の標準化を図ることができ、作業性に優れたものとすることができる。また、作業性の向上により、作業者の個人差によるバラつきが生じない、画一的なシート１の施工が実現されることになり、設計上の性能を確実に実現できる。さらに、シート１が足りなくなる、若しくは、余ってしまう、といったシート１の無駄遣いの不具合の発生を確実に防止することができる。
【００８３】
また、図２及び図４に示すごとく、前記シート１・１Ａは、固定部材（固定具５、ステープル６）を用いて垂木２に対して固定されるものであり、前記シート１・１Ａには、前記シート１に対する固定部材の位置合わせに用いるための指標９・９が設けられ、前記固定部材は、前記指標９・９の箇所に配置されることとするものである。
【００８４】
これにより、固定部材（固定具５、ステープル６）のシート１に対する位置合わせにおいて、作業の標準化を図ることができ、作業性に優れたものとすることができる。また、作業性の向上により、作業者の個人差によるバラつきが生じない、画一的なシート１の施工が実現されることになり、設計上の性能を確実に実現できる。
【００８５】
また、図２及び図６（ａ）に示すごとく、前記固定部材（固定具５）は、垂木２の側面２ｂ・２ｃとの重なり代Ｄを有し、前記シート１は、前記固定部材（固定具５）によって前記重なり代Ｄだけ下方へ配置され、前記シート１と野地板２１（屋根材１１）との間に前記通気層１５が形成されることとするものである。
【００８６】
これにより、前記通気層１５は、重なり代Ｄによって定義される規定の断面形状を有することができ、通気層１５を確実に構成することが可能となる。
【００８７】
また、図６（ａ）及び図７に示すごとく、前記固定部材（固定具５）は、略「コ」字状の板金部材にて構成され、前記シート１を挟んで垂木２に対して嵌着されることとするものである。
【００８８】
これにより、固定部材（固定具５）を垂木２に対して容易に固定することができる。
【００８９】
また、以上の実施例を工法として定義することができる。
即ち、図２に示すごとく、垂木２の上にシート１を敷設し、前記シート１の上に野地板２１（屋根材１１）を設置する、屋根の工法とするものである。
【００９０】
これにより、作業者は、垂木２の上側からシート１を設けることが可能であり、作業性に優れたものとすることができる。また、作業性の向上により、作業者の個人差によるバラつきが生じない、画一的なシート１の施工が実現されることになり、設計上の性能を確実に実現できる。
【００９１】
また、図２に示すごとく、前記シート１は、ふく射熱を遮断する機能を有することとするものである。
【００９２】
これにより、野地板（屋根材１１）から小屋裏１２へ伝わるふく射熱をシート１によって遮断する遮熱構造５０を実現することができる。
【００９３】
また、図２に示すごとく、或るシート１を垂木２に固定後に、前記或るシート１の上に野地板２１（屋根材１１）を設置し、前記野地板２１（屋根材１１）を足場として利用し、前記或るシート１の隣に、次のシート１Ａを付設することとする、屋根の工法とするものである。
【００９４】
これにより、野地板２１（屋根材１１）を足場として利用して垂木２の上側からシート１を敷設する作業を実施することが可能となり、作業者の負担も少なく、短い作業時間で完了することができる。また、シート１の敷設作業に関連し、従来と比較して、足場の組立／取り外しの作業負担を大幅に低減することができる。
【００９５】
また、図２に示すごとく、前記シート１と野地板２１（屋根材１１）の間に通気層１５を形成する、屋根の工法とするものである。
【００９６】
これにより、野地板２１（屋根材１１）の裏側における換気を実施することが可能となる。
【００９７】
また、図２に示すごとく、前記或るシート１と、前記次のシート１Ａとの間に、隙間４を確保する、屋根の工法とするものである。
【００９８】
これにより、小屋裏１２内の空気を通気層１５内に送り込むことが可能となり、小屋裏１２の換気（小屋裏換気）を行うことが可能となる。
【００９９】
また、図２及び図４に示すごとく、前記シート１・１Ａは、前記シート１・１Ａに設けられた指標７・７を垂木２に対して合わせることで敷設されることとするものである。
【０１００】
これにより、シート１の垂木２に対する作業の標準化を図ることができ、作業性に優れたものとすることができる。また、作業性の向上により、作業者の個人差によるバラつきが生じない、画一的なシート１の施工が実現されることになり、設計上の性能を確実に実現できる。さらに、シート１が足りなくなる、若しくは、余ってしまう、といったシート１の無駄遣いの不具合の発生を確実に防止することができる。
【０１０１】
また、図２及び図４に示すごとく、前記シート１・１Ａは、固定部材（固定具５、ステープル６）を用いて垂木２に対して固定されるものであり、前記固定部材は、前記シート１に設けられた指標９・９に合わせて配置されることとするものである。
【０１０２】
これにより、固定部材（固定具５、ステープル６）のシート１に対する位置合わせにおいて、作業の標準化を図ることができ、作業性に優れたものとすることができる。また、作業性の向上により、作業者の個人差によるバラつきが生じない、画一的なシート１の施工が実現されることになり、設計上の性能を確実に実現できる。
【０１０３】
また、図２及び図６（ａ）に示すごとく、前記固定部材（固定具５）は、垂木２の側面２ｂ・２ｃとの重なり代Ｄを有し、前記シート１は、前記固定部材（固定具５）によって前記重なり代Ｄだけ下方へ配置され、前記シート１と野地板２１（屋根材１１）との間に前記通気層１５が形成されることとするものである。
【０１０４】
これにより、前記通気層１５は、重なり代Ｄによって定義される規定の断面形状を有することができ、通気層１５を確実に構成することが可能となる。
【０１０５】
また、図６（ａ）及び図７に示すごとく、前記固定部材（固定具５）は、略「コ」字状の板金部材にて構成され、前記シート１を挟んで垂木２に対して嵌着されることとするものである。
【０１０６】
これにより、固定部材（固定具５）を垂木２に対して容易に固定することができる。
【実施例２】
【０１０７】
図９に示すごとく、実施例２においては、通気層１５Ａの形成に関し、前記シート１・１Ａと野地板２１・２１Ａとの間に、規定の厚みの部材（例えば、発泡体２５・２５）を介設することで、規定の厚みの通気層１５Ａを構成することとするものである。
【０１０８】
図９に示すごとく、この実施例２では、各シート１・１Ａの垂木２に対する固定については、ステープル６を用いて行うこととし、通気層１５Ａの形成については、規定の厚みを有する発泡体２５・２５にて、各シート１・１Ａと、野地板２１・２１Ａの間に距離を確保することとするものである。他の構成については、上述の実施例１と同様の構成を適用することが可能である。
【０１０９】
ここで、発泡体２５・２５については、例えば、天井や壁において利用される断熱材を転用することができる。また、発泡体２５・２５とすることにより、屋根の重量の増加を最小限に抑えることが可能となる。また、発泡体２５・２５は軽量であるため、シート１・１Ａへの後付での接着の作業が容易に行える。また、この発泡体２５・２５の配置については、シート１・１Ａにその配置の指標を予め印刷などにより設けておくことが好適である。なお、特に発泡体に限定されるものではなく、規定の厚みを有する部材であれば、本実施例の実施に適用することができる。
【０１１０】
以上、現時点において、もっとも、実践的であり、かつ、好ましいと思われる実施形態及び実施例に関連して本発明を説明したが、本発明は、本願明細書中に開示された実施形態及び実施例に限定されるものではなく、請求の範囲及び明細書全体から読み取れる発明の要旨或いは思想に反しない範囲で適宜変更可能であり、そのような変更を伴う建物の開口部装置もまた本発明の技術的範囲に包含されるものとして理解されなければならない。
【産業上の利用可能性】
【０１１１】
本発明は、住宅や施設の屋根構造において広く適用することができ、ふく射熱による小屋裏の温度変化を抑制し、冷房効率の向上などを図る上で有効な技術である。
【図面の簡単な説明】
【０１１２】
【図１】本発明の実施形態に係る屋根構造の例について示す図。
【図２】本発明の実施例１に係る遮熱構造について示す図。
【図３】桁付近における遮熱構造について示す図。
【図４】シートの垂木に対する位置合わせについて説明する図。
【図５】野地板とシートの間に形成される通気層について説明する図。
【図６】（ａ）は、垂木に対する固定具の取付について示す図。（ｂ）は、垂木に対して固定具を仮の嵌着状態とする例について示す図。
【図７】固定具の構造について示す斜視図。
【図８】（ａ）は、棟木の付近におけるシートの構成について示す図。（ｂ）は、隅木に対するシートの固定方法について示す図。（ｃ）は、谷木に対するシートの固定方法について示す図。
【図９】本発明の実施例２に係る遮熱構造について示す図。
【図１０】従来のシートの垂木に対する設置方法について示す図。
【符号の説明】
【０１１３】
１    シート
１Ａ    シート
２    垂木
３    桁
４    隙間
５    固定具
６    ステープル
１１    屋根材
１２    小屋裏
１４    室内空間
１５    通気層
１６    軒天
１８    空気
２１    野地板
２１Ａ    野地板
【図１】
2009138444.tif 000003
【図２】
2009138444.tif 000004
【図３】
2009138444.tif 000005
【図４】
2009138444.tif 000006
【図５】
2009138444.tif 000007
【図６】
2009138444.tif 000008
【図７】
2009138444.tif 000009
【図８】
2009138444.tif 000010
【図９】
2009138444.tif 000011
【図１０】
2009138444.tif 000012